【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
一列に配列された複数の画素回路と、前記画素回路の配列方向と垂直な方向の延長線上の領域に配置され、前記画素回路にデータ信号を供給する複数のデータ線と、前記データ線とは異なる層に配置され、コンタクトホールを介して前記データ線と接続し、前記データ線と前記画素回路を接続する複数の引き出し線と、を有し、
前記複数のデータ線の各々は、前記コンタクトホールを覆う複数の土台部と、前記画素回路の配列方向に延伸し、隣接する土台部を接続する複数の配線部とを有し、前記配線部は、前記土台部よりも前記画素回路の配列方向と垂直な方向の幅が小さく、少なくとも二つの土台部の両側で、互いに前記画素回路の配列方向と垂直な方向にオフセットして前記土台部に接続されており、
前記少なくとも二つの土台部は、前記土台部と前記配線部との接続位置が、前記土台部の両側のうちの一方において他方よりも前記画素回路側に位置する第一の土台部と、前記土台部と前記配線部との接続位置が、前記土台部の両側のうちの前記一方において前記他方よりも前記画素回路側と反対側に位置する第二の土台部とを含むことを特徴とする発光素子の駆動回路。
【請求項２】
前記複数の配線部がオフセットする前記垂直な方向は、同じ方向であることを特徴とする請求項１に記載の発光素子の駆動回路。
【請求項３】
隣接するデータ線の土台部同士を、互いに前記画素回路の配列方向にずらして配置することを特徴とする請求項１または２に記載の発光素子の駆動回路。
【請求項４】
前記配線部は、前記土台部の両側で、前記土台部と面一で接続されていることを特徴とする請求項１乃至３のいずれか一項に記載の発光素子の駆動回路。
【請求項５】
前記複数のデータ線の各々は、前記第一の土台部と前記第二の土台部を交互に有することを特徴とする請求項１乃至４のいずれか一項に記載の発光素子の駆動回路。
【請求項６】
前記複数のデータ線の各々は、前記第一の土台部と前記第二の土台部を同数有することを特徴とする請求項１乃至５のいずれか一項に記載の発光素子の駆動回路。
【請求項７】
前記引き出し線は、前記画素回路の配列方向と垂直な方向に延伸することを特徴とする請求項１乃至６のいずれか一項に記載の発光素子の駆動回路。
【請求項８】
前記複数の画素回路は、隣接する複数の画素回路からなる複数のブロックに分割され、同じブロックに属する画素回路に接続される引き出し線が接続された土台部は、第一の土台部または第二の土台部に統一されていることを特徴とする請求項１乃至７のいずれか一項に記載の発光素子の駆動回路。
【請求項９】
前記ブロックに属する画素回路の数がｎであり、前記第一の土台部と第二の土台部のうちの一方で統一された土台部に接続する画素回路の属するブロックでは、ｋ（ｋは１以上ｎ以下の自然数）番目のデータ線にｋ番目のデータを書き込み、前記第一の土台部と第二の土台部のうち他方で統一された土台部に接続する画素回路の属するブロックでは、ｋ番目のデータ線にｎ−（ｋ−１）番目のデータを書き込むことを特徴とする請求項８に記載の発光素子の駆動回路。
【請求項１０】
前記画素回路は、前記画素回路に接続された発光素子に駆動電流を供給する駆動トランジスタと、
前記データ線を介して供給されるデータ信号を前記駆動トランジスタに供給する選択トランジスタを備えることを特徴とする請求項１乃至９のいずれか一項に記載の発光素子の駆動回路。
【請求項１１】
更に走査回路を有し、前記走査回路に接続された走査線は、前記選択トランジスタのゲート電極と接続し、制御信号を伝えることを特徴とする請求項１０に記載の発光素子の駆動回路。
【請求項１２】
請求項１乃至１１のいずれか一項に記載の発光素子の駆動回路を備えることを特徴とする露光ヘッド。
【請求項１３】
請求項１２に記載の露光ヘッドを備えることを特徴とする画像形成装置。
【手続補正２】
【補正対象書類名】明細書
【補正対象項目名】００１４
【補正方法】変更
【補正の内容】
【００１４】
画素回路２は、画素回路２の配列方向の長さよりも、画素回路２の配列方向と垂直な方向の長さが長い。図１で示す画素回路２は略長方形状となっている。画素回路２は、隣接する複数の画素回路からなる複数のブロックに分割されている。具体的には、隣接するｎ個（ｎは２以上、好ましくは３以上の整数）の画素回路２で１ブロックとしてまとめられている。そして、全体でｍブロック（ｍは２以上、好ましくは３以上の整数）配置されている。さらに、各ブロックは、画素回路２の配列方向と同じ方向に一列に配列されている。
【手続補正３】
【補正対象書類名】明細書
【補正対象項目名】００１８
【補正方法】変更
【補正の内容】
【００１８】
図２は、図１のデータ線部分の４ブロックに相当する部分の詳細を示す図である。前述の様に、画素回路２は、隣接するｎ個の画素回路からなるｍ個のブロックに分割されている。図２では、ブロック１に属する画素回路を紙面向かって左側から順に、１−１、１−２・・・１−ｎと表示している。ブロック２以降も同様であり、ブロック４までを示している。図２に示す様に、本発明の駆動回路は、１ブロックを構成する画素回路２の数に対応したｎ本のデータ線３（Ｄ１〜Ｄｎ）を有する。データ線３と画素回路２を接続する引き出し線３２は、データ線３とは異なる層に絶縁層を介して配置され、絶縁層に形成されたコンタクトホール３４を介してデータ線３と接続している。複数のデータ線３の各々は、コンタクトホール３４を覆う複数の土台部３３と、画素回路２の配列方向に延伸し、隣接する土台部３３を接続する複数の配線部３５とを有する。本実施形態では、各々のデータ線３が、ブロック数に対応したｍ個の土台部３３を有し、ｍ本の引き出し線３２と接続している。具体的には、図２に示す様に、データ線Ｄ１は、ブロック１の画素回路１−１に接続される引き出し線、ブロック２の画素回路２−ｎに接続される引き出し線、・・・ブロックｍの画素回路（ｍが奇数の場合はｍ−１、ｍが偶数の場合はｍ−ｎ）に接続される引き出し線と接続している。データ線Ｄ２以降も同様である。即ち、１本のデータ線３からは、１つのブロックへ１本の引き出し線が延伸している。
【手続補正４】
【補正対象書類名】明細書
【補正対象項目名】００２２
【補正方法】変更
【補正の内容】
【００２２】
ここで、図７に示す様に、土台部が第一の土台部３３ａのみであるとする。一つの土台部の両側で、配線部３５同士が、土台部３３と配線部３５の配線幅の差（ΔＬ）だけ、画素回路２の配列方向と垂直な方向にずれることとなる。データ線３は、ｍ個の土台部を有するため、両端の配線部３５同士は、ΔＬ×ｍだけ、画素回路２の配列方向と垂直な方向にずれることとなる。従って、隣接するデータ線３間の距離が短くても、データ線の占める領域を、ΔＬ×ｍだけ余分に確保する必要がある。データ線３に隣接して配置されている発光素子１１や、画素回路２は、基板１の長辺に平行となるように一列に配列していることが好ましく、これらの部分で、ずれたΔＬ×ｍのスペースを有効活用することも難しい。土台部が第二の土台部３３ｂのみであっても同様である。
【手続補正５】
【補正対象書類名】明細書
【補正対象項目名】００３１
【補正方法】変更
【補正の内容】
【００３１】
記録ユニット１０４では、まず、円柱状の感光ドラム１０５の表面を帯電器１０６で均一に帯電させ、露光ヘッド１０７がデータに応じて発光して静電潜像を感光ドラム１０５に形成する。静電潜像は露光ヘッド１０７の感光量（照度、時間）によって制御することができる。次に、記録ユニット１０４では、現像器１０８によって静電潜像にトナーを付着させ、転写器１０９によって静電潜像に付着したトナーを用紙１０２に転写する。このようにして、記録ユニット１０４を介して画像データが転写された用紙１０２は、定着器１１０によってトナーが定着され、排出される。なお、用紙１０２が搬送ローラー１０３によって記録ユニット１０４に搬送されるタイミングは適宜設定できる。本実施形態においては、記録ユニット１０４が１つのモノクロ画像形成装置を例にして説明したが、それに限るものではなく、記録ユニット１０４を複数備えたカラー画像形成装置でもかまわない。